(57)【特許請求の範囲】
【請求項１】
点火操作部の操作に伴って開弁を開始し開弁完了状態において通電によって開弁が維持される安全弁と、前記点火操作部の操作を検知する点火スイッチと、前記点火操作部の操作により前記点火スイッチの操作検知よりも先にオンとなる器具栓スイッチと、前記点火スイッチの操作検知を受けて前記安全弁を通じて供給されるガスに対する点火動作を行う制御部とを備え、前記安全弁が前記点火スイッチの操作検知の後に前記開弁完了状態となり、前記器具栓スイッチのオンにより前記制御部に電源が供給されて前記制御部がイニシャル処理を実行するガス加熱調理器であって、前記制御部は、前記点火スイッチによる操作検知から、前記点火スイッチの操作検知から前記安全弁が前記開弁完了状態となるまでの時間よりも長い第１の所定時間の経過後で、かつ、前記イニシャル処理完了時から前記第１の所定時間より短い第２の所定時間の経過時に点火動作を行うことを特徴とするガス加熱調理器。
【発明の詳細な説明】
【技術分野】
【０００１】
本発明は、ガス加熱調理器に関するものである。
【背景技術】
【０００２】
ガスこんろのようなガス加熱調理器においては、一般に点火操作部を操作して点火する時、点火操作部の操作に伴って弁が開くとともに、点火スイッチが点火操作を検知してイグナイタと点火プラグとからなる点火動作部に点火動作を行わせる。
【先行技術文献】
【特許文献】
【０００３】
【特許文献１】特開２０１１−０４７５５５号公報
【発明の概要】
【発明が解決しようとする課題】
【０００４】
上記の点火操作時、弁が開ききってガスの流れが安定するまでしばし時間を要するが、点火操作の操作者は、点火動作部のイグナイタが作動して点火プラグからの放電が開始されれば、ガス流が安定していなくて未だ点火できていない状態にあっても、点火操作部から手を離してイグナイタの作動を停止させてしまうことが多々ある。この時には不着火状態となることから、再度点火操作を行わなければならない。
【０００５】
本発明は上記問題に鑑みてなされたもので、点火操作部を操作することによる点火がより確実に行われるガス加熱調理器を提供することを課題とする。
【課題を解決するための手段】
【０００６】
本発明にかかるガス加熱調理器は、点火操作部の操作に伴って開弁を開始し開弁完了状態において通電によって開弁が維持される安全弁と、前記点火操作部の操作を検知する点火スイッチと、前記点火操作部の操作により前記点火スイッチの操作検知よりも先にオンとなる器具栓スイッチと、前記点火スイッチの操作検知を受けて前記安全弁を通じて供給されるガスに対する点火動作を行う制御部とを備え、前記安全弁が前記点火スイッチの操作検知の後に前記開弁完了状態となり、前記器具栓スイッチのオンにより前記制御部に電源が供給されて前記制御部がイニシャル処理を実行するガス加熱調理器であり、前記制御部は、前記点火スイッチによる操作検知から、前記点火スイッチの操作検知から前記安全弁が前記開弁完了状態となるまでの時間よりも長い第１の所定時間の経過後で、かつ、前記イニシャル処理完了時から前記第１の所定時間より短い第２の所定時間の経過時に点火動作を行うことに特徴を有している。
【発明の効果】
【０００９】
本発明によれば、点火スイッチが点火操作操作部の操作を検知しても、点火動作は遅れて開始されるために、点火動作時にはガスの流れが安定した状態となっており、このために操作者が点火動作を認識して点火操作部から手を離してしまっても、ガスへの点火はほぼ確実になされるものであり、不着火状態を招くことが殆どない。
【図面の簡単な説明】
【００１０】
【図１】本発明の実施の形態の一例におけるガス加熱調理器の斜視図である。
【図２】同上の弁の配置を示す配管図である。
【図３】同上のバルブユニットの非点火時を示す断面図である。
【図４】同上のバルブユニットの点火時を示す断面図である。
【図５】同上のバルブユニットの燃焼時の状態を示す断面図である。
【図６】同上のイグナイタの作動タイミングを示すタイムチャートである。
【発明を実施するための形態】
【００１１】
以下、本発明の一実施形態を図示実施例に基づいて詳述すると、図示例のガス加熱調理器１は、天面部を構成するトッププレート１１に３つのこんろバーナ２ａ，２ｂ，２ｃを備え、内部にグリルを備えたビルトイン型のガスこんろである。各こんろバーナ２ａ，２ｂ，２ｃは、それぞれバーナ２０、五徳２１、点火プラグ２２、着火検知装置２３（図３参照）を備える。また、図示例におけるこんろバーナ２ａ，２ｂは、バーナ２０の中央に温度センサ２４を備えている。天面部の後部にはグリル用の排気部２６を備えている。
【００１２】
上記点火プラグ２２は、イグナイタ（図示せず）で発生させた高圧パルスが印加されることで放電して点火を行うもので、イグナイタと共に点火動作部を構成する。上記イグナイタは制御部６によって制御される。
【００１３】
上記着火検知装置２３は、熱電対からなるもので火炎の熱により発生する熱起電力で着火検知を行って制御部６に伝達する。
【００１４】
上記温度センサ２４は、調理容器が五徳２１上に載置された時に調理容器の下面に当接して調理容器の温度を検知するもので、サーミスタで構成されており、検知した温度の情報は制御部６に送られて燃焼制御に利用される。
【００１５】
前記グリルは、ガス加熱調理器１の前面に開口する開口部がグリル扉２５によって開閉自在とされたもので、グリルバーナ（図示せず）を内部に備えている。また、グリルバーナ近傍には点火プラグや着火検知装置が配されており、また庫内の温度検出のための温度センサも配されている。
【００１６】
図示例のガス加熱調理器１の前面１２の左右には、パネルＰ１〜Ｐ４が配されており、パネルＰ１には、こんろバーナ２ａの点火／消火用の点消火ボタン１３ａ及び火力調節用の火力調節レバー１４ａと、こんろバーナ２ｃの点火／消火用の点消火ボタン１３ｃ及び火力調節用の火力調節レバー１４ｃとが配されている。パネルＰ２には、グリルバーナの点火／消火用の点消火ボタン１３ｄと、こんろバーナ２ｂの点火／消火用の点消火ボタン１３ｂ及び火力調節用の火力調節レバー１４ｂが配されている。
【００１７】
パネルＰ３，Ｐ４は所謂カンガルーポケットと称される可動式であり、手前に引き出した時、調理内容に応じた燃焼制御を前記制御部６が行う時の調理内容の入力部や表示部が現れるようになっているが、ここではこの点に関する説明を省略する。
【００１８】
図２にガス流路を示す。こんろバーナ２ａのバーナ２０に対しては、安全弁３２とメイン弁３３と開閉弁３５と流量調整弁３４とが直列に接続されているとともに開閉弁３５と並列にオリフィス３７が接続されている。
【００１９】
こんろバーナ２ｂのバーナ２０に対しては、安全弁３２とメイン弁３３と開閉弁３５と流量調整弁３４とが直列に接続されているとともに開閉弁３５と並列にオリフィス３７が接続され、さらに開閉弁３５と並列に開閉弁３６とオリフィス３８とが接続されている。
【００２０】
こんろバーナ２ｃのバーナ２０に対しては、安全弁３２とメイン弁３３と流量調整弁３４とが直列に接続されている。グリルバーナにも安全弁３２とメイン弁３３が接続されている。
【００２１】
ここで、メイン弁３３はメカニカルに開閉され、流量調整弁３４もメカニカルに調整されるのに対して、開閉弁３５，３６は電磁的に開閉されるものであり、また安全弁３２はメカニカルに開閉されるとともに開弁状態が電磁的に保持されるものとなっている。
【００２２】
図３にこんろバーナ２ｂ用の各弁を備えた弁ユニット３を示す。この弁ユニット３は、ガス流入口３０１からガス流出口３０２に至る流路を備えた器体３０に、上記各弁を配したもので、点消火釦１３ｂに連動するスライダ３１と、スライダ３１に連結されたバルブロッド３９、そして火力調節レバー１４ｂに連動するニードル３００を備えている。ガス流出口３０２にバーナ２０が接続される。
【００２３】
上記スライダ３１は、上端側が軸支されている点消火ボタン１３ｂを押した時、後方側に押し込まれるものであり、この時、バルブロッド３９も同時に押し込まれて、バルブロッド３９が備えるメイン弁３３を開くとともに、脇に配されている器具栓スイッチ２７（図６参照）をオンとして、前記制御部６に電源を投入する。また、点消火ボタン１３ｂを更に深く押し込んだ時（図４に示す状態）には、バルブロッド３９先端が安全弁３２を後退させて安全弁３２も開く。
【００２４】
なお、前方側へとばね付勢されたスライダ３１は、押し込まれた時、所謂ハートカム機構により最も押し込まれた状態から少し戻った状態（図５の状態）を維持する。この状態では、メイン弁３３は開いたままであり、バルブロッド３９が安全弁３２から離れることから安全弁３２は本来的には閉じることになるが、バーナ２０に着火しておれば、着火検知装置２３からの出力を受けて制御部６が安全弁３２を電磁的に開いた状態に保つ。
【００２５】
そして、図５に示す状態から再度点消火ボタン１３ｂを押したならば、スライダ３１は図３に示す状態に復帰し、メイン弁３３（及びバルブロッド３９）もばね付勢により復帰するために、バーナ２０へのガス供給が遮断される。安全弁３２はガス供給の遮断でバーナ２０が消火された時点で、着火検知装置２３からの着火検知出力がなくなるために、制御部６からの電磁的保持の解除出力を受けて、ばね付勢により閉じる。
【００２６】
前記ニードル３００は火力調整レバー１４ｂを左右に動かす操作に連動して前後にスライドすることで流量調整弁３４の開度を変更する。また、火力調整レバー１４ｂは、点火のために点消火ボタン１３ｂを最も深い位置まで押し込んだ時、スライダ３１のカム部３１０との係合で所定位置に保持され、流量調整弁３４を点火に適した開度とする。
【００２７】
電磁的に開閉される開閉弁３５，３６は、前述の調理内容に応じた燃焼制御を前記制御部６が行う時に開閉されることで、火力調整を行うもので、両開閉弁３５，３６が共に開いている時に最大火力となり、開閉弁３５，３６を共に閉じている時に最小火力となり、開閉弁３５，３６のどちらか一方のみを開いた状態では中間火力となる。なお、このような燃焼制御を行う時には、火力調整レバー１４ｂは前記所定位置に保った状態とする。また、消火は安全弁３２の電磁的保持を解除して安全弁３２を閉じることによって行う。
【００２８】
こんろバーナ２ａ用の弁ユニット３は、図３に示す弁ユニット３における開閉弁３６とオリフィス３８部分を閉塞したものを用いており、こんろバーナ２ｃ用の弁ユニット３は図３に示す弁ユニット３における開閉弁３６とオリフィス３８部分を閉塞するとともにオリフィス３７部分を閉塞し、さらに開閉弁３５の部分を常時開状態としたものを用いている。このような構成とすることで、こんろバーナ２ｂを高出力（高火力）タイプ、こんろバーナ２ａを標準出力タイプ、こんろバーナ２ｃを低出力タイプとしている。また、グリルバーナ用の弁ユニットは別構成であるが、安全弁３２とメイン弁３３とについては図３に示すものと同構成である。
【００２９】
前記制御部６は、マイクロコンピュータで構成されたもので、電磁弁である開閉弁３５，３６の開閉制御と、安全弁３２の開状態の保持及び閉状態への移行の制御とを行う。また、点火時には点火動作部である前述のイグナイタを作動させて点火プラグ２２に放電を行わせる。着火検出装置２３が着火を検出している時は、前述のように安全弁３２を開状態に保持し、火炎が検知されなくなると制御部６は安全弁３２の開放状態の維持を停止して安全弁３２を閉状態に戻す。従って煮こぼれや風によって立ち消えが起こっても、燃料ガスが流出してしまうことがない。
【００３０】
また、温度センサ２４により検知された調理容器の下面の温度が所定の温度（例えば２５０℃）に達すると、制御部６は空焚きや焦げ付き等の異常が発生していると判定して安全弁３２を閉止する。
【００３１】
次にこのガス加熱調理器１における点火時の制御部６の動作について、こんろバーナ２ｂの場合について説明すると、点消火ボタン１３ｂを押せば、前述のようにメイン弁３３が開くとともに図６に示すように器具栓スイッチ７がオンとなる。この器具栓スイッチ７のオンにより、マイクロコンピュータからなる制御部６に電源が供給され、制御部６はイニシャル処理を実行した後、通常処理の状態に入る。
【００３２】
そして、点消火ボタン１３ｂの押し込み操作でバルブロッド３９が安全弁３２を後退させて安全弁３２を開き始めた時点で、スライダ３１は点火スイッチ８をオンとする。このオンによって点火操作を検知した制御部６は、イグナイタを作動させるのであるが、ここでは点火スイッチ８のオン時から所定時間Ｔ１が経過した時点でイグナイタを作動させて点火を行わせる。
【００３３】
ただし、点火スイッチ８がオンとなった時点で制御部６のイニシャル処理が完了しておらず、イニシャル処理の完了時に点火スイッチ８が既にオンとなっている場合は、制御部６はイニシャル処理完了時から所定時間Ｔ２が経過した時点で点火を行わせる。この所定時間Ｔ２は上記所定時間Ｔ１より短くてよいが、点火スイッチ８がオンとなってから点火を行わせるまでの上記所定時間Ｔ１が、たとえば０．５秒程度であるならば、上記所定時間Ｔ２は、たとえば０．４秒程度となるようにするのが好ましい。ちなみに制御部６のイニシャル処理に要する時間は０．２５秒程である。
【００３４】
なお、制御部６がイグナイタを作動させる時間Ｔ３は、点消火ボタン１３ｂの押し込み操作を解除するまで、もしくは着火検出装置２３が着火を検出するまでであるが、点消火ボタン１３ｂを押し込んだ状態が維持されていても、最大５秒程度（グリルバーナ用の場合は最大７秒程度）に制限している。
【００３５】
上記点火動作によって、バーナ２０への着火が着火検知装置２３で検知されたならば、制御部６は前述のように安全弁３２を開状態で保持し、消火や空焚き等の異常が検知されたならば安全弁３２を閉じる。
【００３６】
点火スイッチ８がオンとなっても、イグナイタの作動を遅らせて開始しているのは、点火スイッチ８がオンとなった時点では、安全弁３２が開ききっていなかったり、ガスの流れ始めの時点ではその流れが安定していなかったりといった理由で、点火しにくい状態にあるためである。第１の所定時間Ｔ１は、安全弁３２が開弁状態となるのを待つための遅延時間であるため、少なくとも点火スイッチ８の操作検知から安全弁３２が開弁状態となるまでの時間以上であることが望ましい。
【００３７】
安全弁３２が開ききってガスの流れが安定した時点で点火を行うものとなっていることから、点火を確実に行うことができる。また、点火プラグ２２における放電音を聞いて使用者が点消火ボタン１３ｂの押し込み操作を止めても、その時点では点消火ボタン１３ｂの押し込み操作が最も深い位置に達していて、ガスの流れが安定していることや、着火検出による安全弁３２の電磁的な開状態の維持動作も確実になされる状態となっていることから、これらの点でも確実な点火を行うことができる。
【００３８】
こんろバーナ２ｂの場合を用いて説明したが、他のこんろバーナ２ａ，２ｃやグリルバーナにおける点火についても、所定時間Ｔ１の遅延の後の点火については上述の例と同じである。
【００３９】
上記実施例では、点火操作部を、点火と消火とを同じボタンで行うことができる点消火ボタンで構成したものを示したが、点火ボタンに対して消火ボタンが別に設けられたものであってもよいのはもちろんであり、また、ダイアル型操作部の回動操作で点火や弁の開閉を行うものにおいても適用することができるのはもちろんである。
【符号の説明】
【００４０】
１  ガス加熱調理器
２ａ〜２ｃ  こんろバーナ
３  バルブユニット
６  制御部
７  器具栓スイッチ
８  点火スイッチ
１３ａ〜１３ｄ  点消火ボタン
１４ａ〜１４ｄ  火力調節レバー
２２  点火プラグ
２３  着火検出装置
２４  温度センサ
３２  安全弁
３３  メイン弁
３９  バルブロッド
【図１】
0006603488.tif 000002
【図２】
0006603488.tif 000003
【図３】
0006603488.tif 000004
【図４】
0006603488.tif 000005
【図５】
0006603488.tif 000006
【図６】
0006603488.tif 000007